(57)【要約】【課題】効率的な融雪を行うことが可能な照明装置を提供する。【解決手段】本発明の照明装置１０は、複数のＬＥＤ２０と、前記複数のＬＥＤ２０が取り付けられると共に、前記複数のＬＥＤ２０からの熱を採熱する絶縁性伝熱基材と、前記複数のＬＥＤ２０を前記絶縁性伝熱基材とで挟むようにして、前記複数のＬＥＤ２０を覆うカバー部材５０と、前記絶縁性伝熱基材で採熱された熱を前記カバー部材５０側に伝熱する高伝熱部材と、前記高伝熱部材の全体を覆い、前記高伝熱部材を断熱する断熱部材と、を有し、前記カバー部材５０の内層５２には金属膜５４が設けられており、前記高伝熱部材と前記金属膜５４とが接触することを特徴とする。【選択図】      図１
2016167362.tif 000002
【特許請求の範囲】
【請求項１】
複数のＬＥＤと、
前記複数のＬＥＤが取り付けられると共に、前記複数のＬＥＤからの熱を採熱する絶縁性伝熱基材と、
前記複数のＬＥＤを前記絶縁性伝熱基材とで挟むようにして、前記複数のＬＥＤを覆うカバー部材と、
前記絶縁性伝熱基材で採熱された熱を前記カバー部材側に伝熱する高伝熱部材と、
前記高伝熱部材の全体を覆い、前記高伝熱部材を断熱する断熱部材と、を有し、
前記カバー部材の内層には金属膜が設けられており、前記高伝熱部材と前記金属膜とが接触することを特徴とする照明装置。
【請求項２】
前記カバー部材の表面が撥水性を有することを特徴とする請求項１に記載の照明装置。
【請求項３】
前記絶縁性伝熱基材は、熱伝導性のフィラーが混合された樹脂によりなることを特徴とする請求項１又は請求項２に記載の照明装置。
【請求項４】
前記高伝熱部材がグラファイトシートであることを特徴とする請求項１乃至請求項３のいずれか１項に記載の照明装置。
【請求項５】
前記高伝熱部材がアルミニウムであることを特徴とする請求項１乃至請求項３のいずれか１項に記載の照明装置。
【請求項６】
前記断熱部材がシリカエアロゲルであることを特徴とする請求項１乃至請求項５のいずれか１項に記載の照明装置。
【請求項７】
前記金属膜がグリッド状であることを特徴とする請求項１乃至請求項６のいずれか１項に記載の照明装置。
【請求項８】
前記金属膜がＩＴＯ電極材料であることを特徴とする請求項１乃至請求項６のいずれか１項に記載の照明装置。
【発明の詳細な説明】
【技術分野】
【０００１】
本発明は、降雪地域等の屋外で用いられる、街路灯、防犯灯や自動車用ランプ、信号機用ランプなどの照明装置に関するものである。
【背景技術】
【０００２】
近年、ＬＥＤ（Ｌｉｇｈｔ  Ｅｍｉｔｔｉｎｇ  Ｄｉｏｄｅ）は、性能が向上すると共に、価格も低下傾向にあり、さらに寿命が長いという利点も加わり、これまでの光源の代替品として盛んに用いられるようになっている。
【０００３】
さらに最近では、屋内用の照明装置のみならず、街路灯、防犯灯、庭園灯、光器、自動車用ランプ、信号機用ランプ等、道路、公園等の主に屋外で使用される照明装置としてもＬＥＤが採用されるようになってきた。
【０００４】
このようなＬＥＤ照明装置を降雪地域等の屋外で利用する場合には、発光面側への積雪により十分な光量で周囲を照明できなくなるという問題がある。そこで、降雪地域等の自動車に適用される照明装置として、ＬＥＤ光源の熱を利用して、表面の融雪等を行えるようにものが提案されている。
【０００５】
例えば、特許文献１（特許２００６−１４００８４号公報）には、アウターレンズとランプボディとで形成された灯室内に、発光ダイオードを光源とする灯具ユニットと、該灯具ユニットとアウターレンズとの間に位置されかつ前面からみて灯具ユニットの発光領域を除く範囲を覆う状態でアウターレンズの内面に近接して配置された被覆用部材とを備えた車両用灯具において、
上記被覆用部材を熱伝導性の高い材料で形成するとともに、上記発光ダイオードにて発
生した熱を該被覆用部材に伝達させるように構成したことを特徴とする車両用灯具が開示されている。
【特許文献１】特許２００６−１４００８４号公報
【発明の概要】
【発明が解決しようとする課題】
【０００６】
カバー部（被覆用部材）に、ＬＥＤで発生した熱を効果的に移送することが重要であるが、従来技術では十分ではない、という問題があった。ＬＥＤで発生した熱を移送するためには伝熱現象を利用する必要があるが、高い伝熱性を持つ材質は同時に放熱性にも優れているため、適切な断熱構造を付与しなければ移送過程で大気中に熱が拡散してしまうが、従来技術ではこのようなことが考慮されておらず、問題であった。
【０００７】
また、カバー部（被覆用部材）は、ＬＥＤ光源による発光を透過させるため透光性のある透明部材が用いられるが、このような透明部材は一般的に伝熱性が低く熱源から移送して来た熱を効率的に融雪に利用することができない、という問題があった。
【課題を解決するための手段】
【０００８】
本発明は以上のような課題を解決するためのものであり、本発明に係る照明装置は、複数のＬＥＤと、前記複数のＬＥＤが取り付けられると共に、前記複数のＬＥＤからの熱を採熱する絶縁性伝熱基材と、前記複数のＬＥＤを前記絶縁性伝熱基材とで挟むようにして、前記複数のＬＥＤを覆うカバー部材と、前記絶縁性伝熱基材で採熱された熱を前記カバー部材側に伝熱する高伝熱部材と、前記高伝熱部材の全体を覆い、前記高伝熱部材を断熱する断熱部材と、を有し、前記カバー部材の内層には金属膜が設けられており、前記高伝
熱部材と前記金属膜とが接触することを特徴とする。
【０００９】
また、本発明に係る照明装置は、前記カバー部材の表面が撥水性を有することを特徴とする。
【００１０】
また、本発明に係る照明装置は、前記絶縁性伝熱基材は、熱伝導性のフィラーが混合された樹脂によりなることを特徴とする。
【００１１】
また、本発明に係る照明装置は、前記高伝熱部材がグラファイトシートであることを特徴とする。
【００１２】
また、本発明に係る照明装置は、前記高伝熱部材がアルミニウムであることを特徴とする。
【００１３】
また、本発明に係る照明装置は、前記断熱部材がシリカエアロゲルであることを特徴とする。
【００１４】
また、本発明に係る照明装置は、前記金属膜がグリッド状であることを特徴とする。
【００１５】
また、本発明に係る照明装置は、前記金属膜がＩＴＯ電極材料であることを特徴とする。
【発明の効果】
【００１６】
本発明に係る照明装置は、高伝熱部材の全体を覆い、高伝熱部材を断熱する断熱部材を有しており、カバー部材の内層には金属膜が設けられており、高伝熱部材と金属膜とが接触する構成であり、ＬＥＤで発生した熱を高伝熱部材により効率的に移送することができると共に、高伝熱部材からカバー部材の内層における金属膜に熱を伝えるようになっているので、効率的な融雪を行うことが可能となる。
【図面の簡単な説明】
【００１７】
【図１】本発明の実施形態に係る照明装置１０の概要を説明する図である。
【図２】本発明の実施形態に係る照明装置１０の第２面１２における採熱構造、伝熱構造及び断熱構造を説明する図である。
【図３】本発明の実施形態に係る照明装置１０の端部１５の詳細な構造を説明する図である。
【発明を実施するための形態】
【００１８】
以下、本発明の実施の形態を図面を参照しつつ説明する。図１は本発明の実施形態に係る照明装置１０の概要を説明する図である。図１（Ａ）は照明装置１０の断面構造を模式的に示す図であり、図１（Ｂ）は照明装置１０の正面図である。
【００１９】
本発明に係る照明装置１０は、第１面１１と、この第１面１１と表裏の関係にある第２面１２とを有しており、第１面１１側から投光されるようになっている。なお、照明装置１０の電気配線などは図示省略している。
【００２０】
第２面１２側に設けられている絶縁性伝熱基材４１には、複数のＬＥＤ２０が取り付けられている。また、本発明に係る照明装置１０は、複数のＬＥＤ２０を絶縁性伝熱基材４１とで挟むようにして、複数のＬＥＤ２０を覆うカバー部材５０を有している。このカバー部材５０は、後述するグリッド状金属膜５４以外は透明な合成樹脂製部材で構成されている。また、カバー部材５０のカバー部材表面５７には撥水性が付与されている。
【００２１】
カバー部材表面５７に撥水性を付与するためには、撥水スプレーや撥水ワックスを用いることもできるが、撥水性は例えば、特許第５６２６４４１号公報記載のように微細構造により付与することで、撥水スプレーや撥水ワックスのように効果が経時的に消失すること無く、永続して機能させることができる。これのようなカバー部材表面５７の撥水性により、熱により水滴化した雪や氷を、効率的により除去することが可能となる。なお、本明細書は、特許第５６２６４４１号公報記載の内容を参照して援用するものである。
【００２２】
次に、図２を参照して、本発明の実施形態に係る照明装置１０の第２面１２における採熱構造、伝熱構造及び断熱構造を説明する。図２は、ＬＥＤ２０が絶縁性伝熱基材４１に取り付けられている様子を拡大して示している。
【００２３】
ＬＥＤ２０は、発光部２１と底面部２３と、この底面部２３から延出する電極部２５とを有している。電極部２５には不図示の電気配線が接続され、これによりＬＥＤ２０に対して給電が行われ、発光部２１から光を取り出すことができるようになっている。ＬＥＤ２０に対して給電が行われている過程では、特に底面部２３が発熱するので、この熱を絶縁性伝熱基材４１に伝導するようにする。このために、ＬＥＤ２０の底面部２３と、絶縁性伝熱基材４１との間には、熱伝導性が高く、かつ、電気絶縁性も高い熱伝導材３０が配される。このような熱伝導材３０としては、例えば、放熱グリスなどを用いることができる。
【００２４】
照明装置１０の第２面１２側においては、ＬＥＤ２０の底面部２３の発熱を効率的に高伝熱部材４３に移送する絶縁性伝熱基材４１と、絶縁性伝熱基材４１からの熱を第１面１１側に移送する高伝熱部材４３と、高伝熱部材４３から空中への放熱を抑制する断熱部材４５と、の３層構造となっている。
【００２５】
ここで、断熱部材４５は照明装置１０の端部１５においても、高伝熱部材４３を覆うことで、高伝熱部材４３を断熱するようになっている。すなわち、本発明に係る照明装置１０においては、断熱部材４５は高伝熱部材４３の全体を覆うことで、高伝熱部材４３が空中にさらされることなく、効率的にＬＥＤ２０の発熱を照明装置１０の第１面１１側に配されるカバー部材５０に導き得るようになっている。
【００２６】
ここで、絶縁性伝熱基材４１としては、熱伝導性のフィラーが混合された樹脂から構成することができる。このようなフィラーとしては、アルミナ（酸化アルミニウム）や窒化ホウ素を用いることができる。また、高伝熱部材４３としては、がグラファイトシートやアルミニウムを用いるとよい。さらに、断熱部材４５としてはシリカエアロゲルやグラスウールなどを用いることができる。
【００２７】
次に、図３は本発明の実施形態に係る照明装置１０の端部１５の詳細な構造を説明する図であり、端部１５における断面構造を模式的に示している。
【００２８】
本発明に係る照明装置１０においては、図３に示すように、高伝熱部材４３は照明装置１０の端部１５において、照明装置１０の第１面１１側から第２面１２側へと回り込むようになっている。
【００２９】
カバー部材５０のカバー部材内層５２においては、グリッド状金属膜５４が全面に設けられており、第１面１１側へと回り込んだ高伝熱部材４３は、このグリッド状金属膜５４と接触するようになっている。高伝熱部材４３と接触しているグリッド状金属膜５４は、カバー部材５０の全面に、熱を移送することができ、これによりカバー部材５０の第１面１１に付着している雪を融かすことが可能となっている。
【００３０】
なお、本実施形態においては、カバー部材内層５２に設ける熱伝導性の部材としてグリッド状金属膜５４を用いて、カバー部材５０の透明性を担保しつつも、カバー部材５０の第１面１１に熱を移送し、カバー部材５０おける融雪を促すようにしているが、グリッド状金属膜５４に代えてＩＴＯ電極材料などをもちいるようにしてもよい。
【００３１】
以上、本発明に係る照明装置１０は、高伝熱部材４３の全体を覆い、高伝熱部材４３を断熱する断熱部材４５を有しており、カバー部材５０の内層にはグリッド状金属膜５４が設けられており、高伝熱部材４３とグリッド状金属膜５４とが接触する構成であり、ＬＥＤ２０で発生した熱を高伝熱部材４３により効率的に移送することができると共に、高伝熱部材４３からカバー部材５０の内層におけるグリッド状金属膜５４に熱を伝えるようになっているので、効率的な融雪を行うことが可能となる。
【符号の説明】
【００３２】
１０・・・照明装置
１１・・・第１面
１２・・・第２面
１５・・・端部
２０・・・ＬＥＤ
２１・・・発光部
２３・・・底面部
２５・・・電極部
３０・・・熱伝導材
４１・・・絶縁性伝熱基材
４３・・・高伝熱部材
４５・・・断熱部材
５０・・・カバー部材
５２・・・カバー部材内層
５４・・・グリッド状金属膜
５７・・・カバー部材表面
【図１】
2016167362.tif 000003
【図２】
2016167362.tif 000004
【図３】
2016167362.tif 000005